(57)【要約】      （修正有）【課題】近未来以降の地球環境の防護や宇宙空間を目標とする防護装置や開発装置に於ては、（反射）基地系集団の構成要素の源泉である基地板の製造装置の中でも、特に製板等の加工装置が重要であり、円滑なスラブの構成の自動化・連続化が重要であった。【解決手段】材供装置から提供され精練された精練鋼は、鋼塊形成機、鋼塊加熱機、分塊圧延機、スラブ加熱機、（スケールブレーカ機）等によって構成されるスラブ形成ブロックによってスラブが製造されて、粗圧延ブロック、仕上圧延ブロックを経て製板される。ここでスラブ形成ブロックは上記の各機が（産業）ロボットと電子計算機と地球上で製造されたブロックとによって自動的にスラブが（半）自動的に連続的に供給される。これにより、スラブ形成が連続的に可能であると仮定すれば多数個の基地板は製作可能になると推定され、防護装置、開発装置は、未来に於ては所期の目標、効果を挙げる見通しがつくと推定される。【選択図】図４
2006219107.tif 000002
【特許請求の範囲】
【請求項１】
精練機から精練された洗練鋼を分配する分配機を含んで構成される材供装置と、  該分配機で分配された精練鋼を電子計算機の制御で自動的に嫁動するよう構成された（産業）ロボットによって（半）自動的にスラブを形成し、自動的に2006219107.tif 000007
続的にスラブを供給するうよう構成されたスラブ形成ブロックを含む加工装置を具備した製板装置を有する防護開発装置の製造装置。
【請求項２】
防護装置・防護開発装置の（反射）基地系集団の構成要素である（反射）基地系を製作するべく地球近傍の無重力の宇宙空間に配備される製造装置としての製作系（材供装置・加工装置・伸展装置・組立装置・制御装置・等を含む）の一部であって。  大型の略凹面鏡による凝集太陽光または核融合発電による電熱溶触機等によって鉄隕石上の融解された鉄隕石をかくはんするかくはん機等を含む融解機と、2006219107.tif 000008
を含んで構成される材料供給用の材供装置と、2006219107.tif 000009
て連続的にスラブを供給するうよう構成されたスラブ形成ブロックと、  該スラブを粗圧延機・仕上圧延機・制枠機で製板・製枠する粗圧延ブロック・仕上圧延ブロック・製枠ブロックと、を有する加工装置と、  該製作系の各装置を連携する電子計算機群と地球管制体の大型電子計算機とがネットワークに構成された制御装置と、を具備した防護開発装置の製造装置。
【請求項３】
電子計算機のネットワークと、（産業）ロボットとによってスラブ形成を自動的に構成する製板装置の製造方法であって、2006219107.tif 000010
分塊圧延を自動化する分塊圧延段階と、  スラブ加熱を自動化するスラブ加熱段階と、  スケールブレーカを自動化するスケールブレーカ段階と、  スラブを粗圧延ブロックに引継ぐ引継段階と、を具備した製板装置の製板方法を有する防護開発装置の製造装置の製造方法。
【発明の詳細な説明】
【技術分野】  本発明は防護開発装置の製造装置とその製造方法に関し、より詳しくは近未来以降に於る地球環境の防護を目標に（反射）基地系集団の開発を図りつつ、その間に於て製造装置で製作された上記集団は未来是非とも開発の必要が迫られた場合の惑星や衛星の開発を図らんとする基盤の提供を図るものである。［背景技術］  ２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、地球環境の深刻化という大きく、かつ深刻な試練を受けることになっている。副産物の中には人間の居住パターンを変える程の大きな影響を及ばすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って太��から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものでもない。未来に向けて末永く存在するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最善の対策が図られるべき必要に迫られてきた。世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的な世界人口の増加は、人口爆発と呼ばれるにふさわしいものであった。この増加傾向は多少変化があるとしても、前記のように世界人口は２０５０年には１００億に達するとみられている。従って、地球は半世紀の間に食糧、水、資源、居住環境等人類生存の必須条件の全ての面において、現在の約２倍の人口を維持しうるだけの扶養能力を備えていなければならない。これらの必須条件が世界人口の生存上充分に余裕のあるうちは、人口増加は人類の繁栄を示すもので結構なことである。現に、数十年前まではそうであった。しかし、第２図に示すように現在実際に直面しまた予測されている危機的課題はいずれも地球規模のものであり、将来益々激しさを増すもので非可逆的性格が強い。その主な原因は世界人口の激増が引き金になっていることが判っている。エネルギーを初め多くの資源の需要は等比級数的に伸びるのに対して、資源の量には絶対的限界がある。幾世紀、幾億年かけて��成された森林や土壌や地球独得の資源等が今や人間一生程の短い期間に消費されている。また、これらのこことが将来、政治的・社会的安定を脅かす原因となってくる可能性が大きい。２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の諸理由によって起る危機、正に大危機と呼ばれる試練が待ち受けている。過去複数回到来したものは未来も複数回到来するであろう。後記の氷期の到来の課題然り、小惑星の地球衝突の課題然りである。それらは枠外れの厳冬や大地震よりさらにレベルが異る大危機である。以上は相当現代に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。  本発明は防護開発装置の製造装置とその製造方法に関し、第１の目的は近未来以降に於る地球環境の防護を目標に（反射）基地系集団の開発を図りつつ、その間に於て製造装置で製作された上記集団は未来是非とも開発の必要が迫られた場合の惑星や衛星の開発を図らんとする基盤の提供を図るものである。［発明の実施の形態］  以下、本発明の実施の形態を実施例・図面を参考にして具体的に説明する。（１）（反射）基地系集団の構成要素である基地系は、材供装置・加工装置・伸展装置・組立装置・制御装置・等を隣設して構成されているので、鉄隕石から基地系までを（略）自動連続工程によって一貫して製作される。このため、宇宙空間であっても効率的・省力的・経済的・計画的な製作が可能であると推定される。特に、加工装置はスラブ形成ブロック・粗圧延ブロック・仕上圧延ブロック等がブロックに構成されているので、必要に応じてこれらのブロックを加入することによりスラブ形成・粗圧延・仕上圧延等の工程が円滑に連続的・効率的に成される。また、これらのブロックはスラブ形成機、粗圧延機・仕上圧延機等が個々には組立されにくいが、まとまったブロックに構成されることによって、ロケット本体への収容・導出・組立固定等が（半）自動的に実行されることも可能になり、製作系の組立工程が効率的・省力的・経済的に行え、宇宙空間での組立が容易になる。スラブ形成機・粗圧延機・仕上���延機は相当の重量を備えていても、地球からの打上時は支承枠とロールとを分離して重量配分を適確に行い、無重力の宇宙空間では導出前にロケット本体の内部で（半）自動組立機で略組立てた後に、（半）自動導出機によって導出し、宇宙空間ではブロック凾体のみを（半）自動組立機によって組立ればよいので製作系の組立も的確に効率的・省力的に行えると推定される。各ブロックは外面に仮止具を備えれば宇宙空間で次々に仮止めした後に、横製枠機によって製枠された板厚を加減し、強度の大きい横枠（連設枠）に固定すれば一挙に多数の製板製枠ブロックが構成される。また、この製板製枠ブロックと横枠機とによって適圧で強度の大きい基地板に似た伸展台・組立台及び伸展補強台・組立補強台も構成され、それらは地球上で製造された強度の大きいロケット本体又は組立外凾によって連結されれば宇宙空間ではこれらを（半）自動組立機を装備した組立ロケットで固定すればよいので無重力で何の足がかりも初期にはない初期に於る製作系の組立を効率化できる。宇宙飛行士（宇宙組立員）が工具を手に持って固定する作業に比べれば格段に効率がよく省力的・経済的に基地系の製造装置である製作系を提供できると推定される。（２）ここでスラブ形成ブロックについて図を参考にして具体的に説明する。2006219107.tif 000003
機と、分塊圧延機と、スラブ均熱機と、スケールブレーカ機と、を含んで形成される。これらの各機は小型の電子計算機によって制御され、これらは、スラブ計算機によって制御されている。スラブ計算機はさらに製作系の全体を制御する製作計算機に接続されている。製作計算機は製作系の全体を形成する材供装置と、加工装置と、伸展装置と、組立装置と、動力装置と、制御装置と、を含んで、それらの各々を自動制御、または必要により指令制御に切替えて制御されるようにネットワークに構成されている。また製作系計算機は、（反射）基地系集団計算機、材料運搬計算機、地球管制体の大型電子計算機とネットワークに構成されており、全体は大型電子計算機の統括下にある。（図参照）さらにスラブ形成ブロックでは各電子計算機で制御された（産業）ロボットと組合せて全体が望ましくは全自動、少くとも（半）自動で制御されるように構成されている、（産業）ロボットは地球上で無重力の宇宙空間での作業を充分に検討し計算し尽されて最適のものが採用される。スラブ形成ブロックは、地球上と異る点は無重力か否かということであり、重力が作用しないから、宇宙空間では浮上る点のみ配慮すれば有利に制御される。また、無重力ということは、多数のスラブを備蓄してもその重さに耐えることに過大な配慮を要せず、さらに広大な宇宙空間では備蓄空間に困ることはない。2006219107.tif 000004
ットの構成を著しく有利にすると推定されるが、未体験なので推定に止る。しかし、宇宙技術も成熟するであろう未来に於ても、充分な慎重さは重要であり初期に於ては少数に締って試験確認が必要である。仮に一台の材供装置、加工装置が問題なく運転されるとすれば、製作系は多数の製板機で成る加工装置としても右に準じて装備されればよく、ロボットと、電子計算機群のネットワークと、ブロックに構成することで実現性がでてくると推定される。［発明の効果］  本発明は上記したように構成されているので、下記の効果を挙ると推定される。2006219107.tif 000005
機と、分塊圧延機と、スラブ均熱機と、スケールブレーカ機と、を含んで形成される。これらの各機は小型の電子計算機によって制御され、これらは、スラブ計算機によって制御されている。スラブ計算機はさらに製作系の全体を制御する製作計算機に接続されている。製作計算機は製作系の全体を形成する材供装置と、加工装置と、伸展装置と、組立装置と、動力装置と、制御装置と、を含んで、それらの各々を自動制御、または必要により指令制御に切替えて制御されるようにネットワークに構成されている。また製作系計算機は、（反射）基地系集団計算機、材料運搬計算機、地球管制体の大型電子計算機とネットワークに構成されており、全体は大型電子計算機の統括下にある。（図参照）さらにスラブ形成ブロックでは各電子計算機で制御された（産業）ロボットと組合せて全体が望ましくは全自動、少くとも（半）自動で制御されるように構成されている．（産業）ロボットは地球上で無重力の宇宙空間での作業を充分に検討し計算し尽されて最適のものが採用される。スラブ形成ブロックは、地球上と異る点は無重力か否かということであり、重力が作用しないから、宇宙空間では浮上る点のみ配慮すれば有利に制御される。また、無重力ということは、多数のスラブを備蓄してもその重さに耐えることに過大な配慮を要せず、さらに広大な宇宙空間では備蓄空間に困ることはない。2006219107.tif 000006
ットの構成を著しく有利にすると推定されるが、未体験なので推定に止る。しかし、宇宙技術も成熟するであろう未来に於ても、充分な慎重さは重要であり初期に於ては少数に締って試験確認が必要である。仮に一台の材供装置、加工装置が問題なく運転されるとすれば、製作系は多数の製板機で成る加工装置としても右に準じて装備されればよく、ロボットと、電子計算機群のネットワークと、ブロックに構成することで実現性がでてくると推定される。  上記によって製板が可能とすれば防護装置、開発装置は効果を推定できる。
【図面の簡単な説明】
【図１】１９・２０世紀の環境・資源等の深刻な課題と２１世紀の予測を示す図、
【図２】代表的な地球規模の課題の過去の経過と未来の予測を示す図、
【図３】本発明防護開発装置の電子計算機（制御装置）のネットワークを示す図、
【図４】本発明防護開発装置の製造装置の一実施例を示す図、
【図５】同上製造装置の横面図、平面図を示す図、
【図６】同上製造装置の側面図を示す図、
【図７】同上製造装置で製造された基地系の一実施例を示す図、
【図８】基地系の集合である中ブロックの一実施例を示す図、
【図９】中ブロックの集合である大ブロックと基地系集団の一実施例を示す図である。
【符号の説明】
【図１】
2006219107.tif 000011
【図２】
2006219107.tif 000012
【図３】
2006219107.tif 000013
【図４】
2006219107.tif 000014
【図５】
2006219107.tif 000015
【図６】
2006219107.tif 000016
【図７】
2006219107.tif 000017
【図８】
2006219107.tif 000018
【図９】
2006219107.tif 000019